(57)【要約】【課題】相手方レセプタクル間に若干の位置ずれがあってもスムーズに嵌合でき、小型化となる複数プラグ付き接続ユニットを提供する。【解決手段】複数のコンタクト４０Ｋと複数のコンタクトを保持するインシュレータ４０Ｚとを有するプラグ４０と、前記プラグ４０と同じ又は異なるプラグ３０を１個以上と、各プラグ３０、４０の各複数のコンタクト３０Ｋ、４０Ｋの下端３０Ｋ３、４０Ｋ３と半田付けされるパターン５３、５４を備えた基板５０と、各プラグ３０、４０を纏めて収容し各プラグの嵌合部のみを露出させる穴６３、６４を形成したケース６０と、から成る複数プラグ付き接続ユニット２０において、複数プラグの少なくとも１個が各嵌合部と半田付け部との間で可動構造を備えるようにした。【選択図】図２
2013048073.tif 000002
【特許請求の範囲】
【請求項１】
複数のコンタクトと前記複数のコンタクトを保持するインシュレータとを有するプラグと、前記プラグと同じ又は異なるプラグを1個以上と、前記各プラグを半田付け搭載する基板と、前記各プラグを纏めて収容し前記各プラグの嵌合部のみを露出させる穴を形成したケースと、から成る複数プラグ付き接続ユニットにおいて、
前記複数プラグの少なくとも１個が、前記各嵌合部と半田付け部との間で可動構造を備えたことを特徴とする複数プラグ付き接続ユニット。
【請求項２】
前記複数本のケーブルを半田付け又はコネクタを介して結線できるパターンを前記基板に設けたことを特徴とする請求項１記載の複数プラグ付き接続ユニット。
【請求項３】
前記複数プラグのうちの少なくとも１個のプラグの前記嵌合部が、マイクロＵＳＢコネクタのレセプタクルの嵌合部と嵌合するものであることを特徴とする請求項２記載の複数プラグ付き接続ユニット。
【請求項４】
前記複数プラグのうちの少なくとも１個のプラグの前記嵌合部が、ＨＤＭＩタイプＤコネクタのレセプタクルの嵌合部と嵌合するものであることを特徴とする請求項２記載の複数プラグ付き接続ユニット。
【請求項５】
前記複数プラグのうちの少なくとも１個のプラグの前記嵌合部がマイクロＵＳＢコネクタのレセプタクルの嵌合部と嵌合し、かつ少なくとも１個のプラグの前記嵌合部がＨＤＭＩタイプＤコネクタのレセプタクルの嵌合部と嵌合するものであることを特徴とする請求項２記載の複数プラグ付き接続ユニット。
【請求項６】
前記複数本のケーブルがマイクロＵＳＢの信号を伝送するケーブルとＨＤＭＩタイプＤの信号を伝送するケーブルのどちらか一方または双方であることを特徴とする請求項２記載の複数プラグ付き接続ユニット。
【発明の詳細な説明】
【技術分野】
【０００１】
本発明は、マイクロＵＳＢ用プラグとＨＤＭＩタイプＤ用プラグといった異種のプラグを２個またはそれ以上備えた複数プラグ付き接続ユニットに関するもので、特に、それぞれの相手方レセプタクル同士の離間距離に若干の製作誤差があってもそれぞれプラグを接続できて、しかも小型化に寄与する複数プラグ付き接続ユニットに関するものである。
【背景技術】
【０００２】
〈従来の接続ユニット〉
受容スロットを区画する複数の側壁を有するシールドハウジングと、複数のコネクタ及びこれらコネクタの各々に組み込まれた複数の導電性コンタクトを備えた本体部とを具備したソケットコネクタは、例えば特許公報１などにより公知である。
また、複数のコネクタとして、マイクロＵＳＢ用プラグ４００とＨＤＭＩタイプＤ用プラグから成る接続ユニットとしては、図１１に示すようなものが市販されている。
図１１は従来公知の２個プラグ付き接続ユニットの一部破断斜視図である。
図１１において、２個プラグ付き接続ユニット２００はマイクロＵＳＢ用プラグ４００とＨＤＭＩタイプＤ用プラグ３００とを備えている。マイクロＵＳＢはパソコン等に用いられ、ＨＤＭＩタイプＤはデジタルテレビ等に用いられているので、パソコンとデジタルテレビとをスマートフォンに接続して同時に使う場合、スマートフォン側のＨＤＭＩタイプＤ用プラグのレセプタクルとマイクロＵＳＢ用のレセプタクルにそれぞれこのマイクロＵＳＢ用プラグ４００とＨＤＭＩタイプＤ用プラグ３００とを嵌合させる必要がある。
ところが、相手方レセプタクル同士の離間距離に若干の製作誤差があるような場合、２個のプラグが完全固定（デジット）であると２個同時に接続できないことが起こりうる。
これを解決するものとして、図１１の２個プラグ付き接続ユニット２００では、マイクロＵＳＢ用プラグ４００にケーブル７４０を接続して、かつ、マイクロＵＳＢ用プラグ４００の周囲にクッション材４００Ｋを介してケースに固定し、マイクロＵＳＢ用プラグ４００の嵌合部を露出させる穴を若干大きめに作っている。
このようにすることで、マイクロＵＳＢ用プラグ４００の嵌合部はある程度可動できるようになり、ＨＤＭＩタイプＤ用プラグ３００が相手方レセプタクルに嵌合した状態で、マイクロＵＳＢ用プラグ４００が相手方レセプタクルに嵌合するとき若干位置ずれがあっても可動して相手方レセプタクルに嵌合することができる。
このように、図１１の２個プラグ付き接続ユニットであれば、相手方レセプタクル同士の離間距離に若干の製作誤差があっても、問題なく両レセプタクルと接続可能となる。
【先行技術文献】
【特許文献】
【０００３】
【特許文献１】特開２０１１−３５４０号公報
【発明の概要】
【発明が解決しようとする課題】
【０００４】
〈公知の複数プラグ付き接続ユニットの問題点〉
ところが図１１で示す複数プラグ付き接続ユニットは、ケーブルを用いているので、嵌合方向と直角方向にケーブルを引き回す場合にケーブルは直角に曲がることができず、大きなカーブを描いて曲がることとなり、したがって嵌合方向のプラグ奥行きの寸法Ｔ２０（図１１）が大きくなってしまい、小型化のニーズに適合しなくなってしまうという問題があった。
特に、スマートフォン等の携帯機器市場においては、サイズの縮小化にこだわっており、従来公知の複数プラグ付き接続ユニットは小型化の点で問題があった。
【０００５】
〈本発明の目的〉
本発明は、上記欠点を解決するためになされたもので、嵌合方向のプラグ奥行きの寸法を小さくできて、しかもＨＤＭＩタイプＤ用プラグが相手方レセプタクルに嵌合した状態で、マイクロＵＳＢ用プラグの相手方レセプタクルに若干位置ずれがあってもマイクロＵＳＢ用プラグを相手方レセプタクルに嵌合することができる複数プラグ付き接続ユニットを提供することを目的としている。
【課題を解決するための手段】
【０００６】
本発明は上記課題を解決するためになされたもので、本願発明（１）〜（６）は次のことを特徴としている。
（１）複数のコンタクトと前記複数のコンタクトを保持するインシュレータとを有するプラグと、前記プラグと同じ又は異なるプラグを１個以上と、前記各プラグを半田付け搭載する基板と、前記各プラグを纏めて収容し前記各プラグの嵌合部のみを露出させる穴を形成したケースと、から成る複数プラグ付き接続ユニットにおいて、前記複数プラグの少なくとも１個が、前記各嵌合部と前記半田付け部との間で可動構造を備えたこと。
（２）複数本のケーブルを半田付け又はコネクタを介して結線できるパターンを前記基板に設けたこと。
（３）前記複数プラグのうちの少なくとも１個のプラグの前記嵌合部が、マイクロＵＳＢコネクタのレセプタクルの嵌合部と嵌合するものであること。
（４）前記複数プラグのうちの少なくとも１個のプラグの前記嵌合部が、ＨＤＭＩタイプＤコネクタのレセプタクルの嵌合部と嵌合するものであること。
（５）前記複数プラグのうちの少なくとも１個のプラグの前記嵌合部がマイクロＵＳＢコネクタのレセプタクルの嵌合部と嵌合し、かつ少なくとも１個のプラグの前記嵌合部がＨＤＭＩタイプＤコネクタのレセプタクルの嵌合部と嵌合するものであること。
（６）前記複数本のケーブルがマイクロＵＳＢの信号を伝送するケーブルとＨＤＭＩタイプＤの信号を伝送するケーブルのどちらか一方または双方であること。
【発明の効果】
【０００７】
（１）の構成によれば、少なくとも１個のプラグが各嵌合部と半田付け部との間で可動構造を備えているので、相手方レセプタクルに若干位置ずれがあってもそのプラグを相手方レセプタクルにスムーズに嵌合できるようになる。
（２）の構成によれば、複数本のケーブルを半田付け又はコネクタを介して結線できるパターンを基板に設けたので、ケーブルを嵌合方向と直角方向に引き回すことをしなくてよくなり、小型化に寄与できる。
（３）〜（６）の構成によれば、マイクロＵＳＢコネクタおよびＨＤＭＩタイプＤコネクタに嵌合して各信号を伝送することができるようになり、スマートフォン等の携帯機器市場におけるニーズに応えることができるようになる。
【図面の簡単な説明】
【０００８】
【図１】図１（Ａ）は本発明に係る複数プラグ付き接続ユニットを使用したケーブルの正面図、図１（Ｂ）は同じく平面図である。
【図２】図２（Ａ）は本発明に係る複数プラグ付き接続ユニットに用いる基板の平面図、図２（Ｂ）は複数プラグ付き接続ユニットの各プラグの中心を通る縦断面で切った正面断面図である。
【図３】図３（Ａ）は複数プラグ付き接続ユニットの拡大斜視図、図３（Ｂ）は複数プラグを収容するケースをケースの裏側から見た斜視図、図３（Ｃ）は図３（Ａ）の複数プラグ付き接続ユニットを裏側から見た斜視図である。
【図４】図４（Ａ）はマイクロＵＳＢ用プラグの平面図、図４（Ｂ）は同じく正面図、図４（Ｃ）は同じく斜視図である。
【図５】図５（Ａ）はマイクロＵＳＢ用プラグのベースシェルの一部を破断して示す斜視図、図５（Ｂ）はさらにマイクロＵＳＢ用プラグの嵌合部シェルの一部を破断して示す斜視図、図５（Ｃ）はマイクロＵＳＢ用プラグの嵌合部シェルの斜視図である。
【図６】図６（Ａ）は図４（Ａ）のＡ−Ａ矢視断面図、図６（Ｂ）は図４（Ｂ）のＢ−Ｂ矢視断面図である。
【図７】図７はマイクロＵＳＢ用プラグの組み立て工程の前半を示す斜視図である。
【図８】図８はマイクロＵＳＢ用プラグの組み立て工程の後半を示す斜視図である。
【図９】図９はＨＤＭＩタイプＤ用プラグの組み立て工程を示す斜視図である。
【図１０】図１０（Ａ）はＨＤＭＩタイプＤ用プラグの正面断面図、図１０（Ｂ）はその側面断面図である。
【図１１】図１１は従来公知の２個プラグ付き接続ユニットの一部破断斜視図である。
【発明を実施するための形態】
【０００９】
以下に、相手方レセプタクルに若干位置ずれがあってもそのプラグを相手方レセプタクルにスムーズに嵌合でき、しかも小型化に寄与する複数プラグ付き接続ユニットについて、図面を用いて説明する。
【００１０】
〈本発明によるとプラグ奥行き寸法が小さくなる理由〉
図１は本発明に係る複数プラグ付き接続ユニットを使用したケーブルを説明する図で、複数プラグ付き接続ユニットはＨＤＭＩタイプＤ用プラグ３０とマイクロＵＳＢ用プラグ４０とを備え、ハウジング７２に収容されて、ケーブル７０に接続されている。図１の複数プラグ付き接続ユニットは、図１１で示した市販のものと比べて嵌合方向のプラグ奥行きの寸法Ｔ１０が小さくなった小型化された複数プラグ付き接続ユニットとなっている。
このように本発明に係る複数プラグ付き接続ユニットのプラグ奥行き寸法が小さくなる理由について図２及び図３を用いて説明する。
図２（Ａ）は本発明に係る複数プラグ付き接続ユニットの基板の平面図、図２（Ｂ）は複数プラグ付き接続ユニットの各プラグの中心を通る縦断面で切った正面断面図である。本発明に係る複数プラグ付き接続ユニットを使用したケーブル１０は本発明に係る複数プラグ付き接続ユニット２０にケーブル７０を取り付けたものである。複数プラグ付き接続ユニット２０はＨＤＭＩタイプＤ用プラグ３０とマイクロＵＳＢ用プラグ４０と、両プラグ３０、４０のそれぞれのコンタクト３０Ｋ、４０Ｋと半田付けされるパターン５３、５４を備えている基板５０とを含み、これらをケース６０に収容して成っている。
ケーブル７０は、基板５０の裏側のパターンと半田付け結線されている各種電線７１とケース６０を収容しているハウジング７２から成っている。
図２（Ａ）の基板５０には、ＨＤＭＩタイプＤ用プラグ３０用のパターン５３とマイクロＵＳＢ用プラグ４０用のパターン５４とがそれぞれ設けられており、それぞれのパターン５３とパターン５４は基板５０を貫通して基板５０の表側から裏側（図３（ｃ）参照）に延びている。図３（Ｃ）は図３（Ａ）の複数プラグ付き接続ユニットを背面側から見た斜視図で、基板５０を貫通して基板５０の裏側に延びた各パターン５３とパターン５４はケーブル７０のＨＤＭＩ信号電線７３とＵＳＢ信号電線７４とそれぞれ半田付けによる電気的接続がなされている。
なお、ここでは、各パターン５３とパターン５４はケーブル７０のＨＤＭＩ信号電線７３とＵＳＢ信号電線７４とそれぞれ半田付けによる電気的接続がなされているが、本発明はこれに限定されるものではなく、半田付けによる電気的接続の他に、コネクタを介して両者間を電気的に接続することも、もちろん可能である。
図３（Ｃ）の各パターン５３とパターン５４と各種電線７３、７４とのそれぞれの電気的接続から判るように、電線７１は基板５０の各パターン５３とパターン５４の上に横方向から直接アクセスしており、図１１のようにケーブル７０がカーブを描かないため、嵌合方向のプラグ奥行きの寸法Ｔ１０（図１（Ａ）、図２（Ｂ））が小さくでき、サイズの縮小化にこだわるスマートフォン等の携帯機器市場において有用となる。
【００１１】
〈位置ずれのある相手方レセプタクルと嵌合できる。〉
次に、マイクロＵＳＢ用プラグ４０が相手方レセプタクルに若干位置ずれがあってもスムーズに嵌合できるようになる可動構造について説明する。
【００１２】
〈複数プラグ付き接続ユニット２０〉
図３（Ａ）は複数プラグ付き接続ユニットの拡大斜視図である。図３（Ａ）において、ＨＤＭＩタイプＤ用プラグ３０の嵌合部とマイクロＵＳＢ用プラグ４０の嵌合部が、それぞれケース６０の穴６３、６４から露出している。このとき、マイクロＵＳＢ用プラグ４０側の穴６４はマイクロＵＳＢ用プラグ４０の嵌合部の周囲から若干の隙間をあけるように大きめの穴となっている。
これに対して、ＨＤＭＩタイプＤ用プラグ３０側の穴６３はＨＤＭＩタイプＤ用プラグ３０に対して隙間なくＨＤＭＩタイプＤ用プラグ３０の嵌合部を露出させている。
【００１３】
図３（Ｂ）は図３（Ａ）の複数プラグを収納するケースをケースの裏側から見た斜視図で、樹脂成型されたケース６０は内側にＨＤＭＩタイプＤ用プラグ３０の収容室６３ＲとマイクロＵＳＢ用プラグ４０の収容室６４Ｒとが形成され、それぞれの頂部にＨＤＭＩタイプＤ用プラグ３０の嵌合部が露出する穴６３とマイクロＵＳＢ用プラグ４０の嵌合部が露出する穴６４があけられている。
【００１４】
図４（Ａ）はマイクロＵＳＢ用プラグの平面図、図４（Ｂ）は同じく正面図、図４（Ｃ）は同じく斜視図である。マイクロＵＳＢ用プラグ４０は、嵌合部を形成する嵌合部シェル４０Ｓ１と、基板を覆うベースシェル４０Ｓ２を最外側に備えて、全体の信号の電気シールドを行っている。
嵌合部シェル４０Ｓ１の内側には、５本のコンタクト４０Ｋを固定する固定インシュレータが収容され、５本のコンタクト４０Ｋの下端部４０Ｋ３はベースシェル４０Ｓ２の袴（はかま）部の下から外方へ突出して、基板５０のパターン５４と半田付けされる（図２（Ｂ））。
ベースシェル４０Ｓ２の頂部には嵌合部シェル４０Ｓ１の貫通する開口Ｓ２Ｌ（図４（Ｃ））があけられており、この開口Ｓ２Ｌから嵌合部シェル４０Ｓ１が露出している。
嵌合部シェル４０Ｓ１とベースシェル４０Ｓ２とは後述するように電気的に接続されており、また、両者は機械的には完全固定ではなく、嵌合部シェル４０Ｓ１とベースシェル４０Ｓ２とが可動できるようになっている。
【００１５】
〈マイクロＵＳＢ用プラグ４０の構成〉
図５（Ａ）はマイクロＵＳＢ用プラグのベースシェルの一部を破断して示す斜視図、図５（Ｂ）はさらにマイクロＵＳＢ用プラグの嵌合部シェルの一部をも破断して示す斜視図、図５（Ｃ）はマイクロＵＳＢ用プラグの嵌合部シェルの斜視図、図６（Ａ）は図４（Ａ）のＡ−Ａ矢視断面図、図６（Ｂ）は図４（Ｂ）のＢ−Ｂ矢視断面図である。
マイクロＵＳＢ用プラグ４０は、５本のコンタクト４０Ｋとインシュレータ４０Ｚとシェル４０Ｓとから構成される。
【００１６】
〈インシュレータ４０Ｚ〉
インシュレータ４０Ｚは、固定インシュレータ４０Ｚ１と嵌合インシュレータ４０Ｚ３とベースインシュレータ４０Ｚ４と固定インシュレータ４０Ｚ５とから構成されている。
【００１７】
〈嵌合インシュレータ４０Ｚ３〉
嵌合インシュレータ４０Ｚ３（図６（Ａ）、図７（４））は５本のコンタクト４０Ｋをモールド固定している固定インシュレータ４０Ｚ１（図６（Ａ）、図７（３））を中央部に収容する絶縁樹脂製筐体である。この筐体の下部は両側外方に膨出部Ｂ３を形成してあり、この膨出部Ｂ３がベースインシュレータ４０Ｚ４に形成された嵌合インシュレータ収容部Ｂ４（図６（Ａ）、図７（６））に収容されることで、全体のインシュレータ４０Ｚが完成する。
【００１８】
〈５本のコンタクト４０Ｋ〉
５本のコンタクト４０Ｋ（図５（Ｂ）、図７（３））は、上方先端部４０Ｋ１が相手方レセプタクルと接触する部位であり、中間部４０Ｋ２がＳ字状に曲折して弾性を持たせる部位であり、下端部４０Ｋ３が基板５０（図２（Ａ））のパターン５４と半田付けされる（図２（Ｂ））。
図５（Ｂ）において、嵌合インシュレータ４０Ｚ３とベースインシュレータ４０Ｚ４とで形成される内部空間に、長尺状の５本のコンタクト４０Ｋが収容される（図７（５）参照）。
Ｓ字状に曲折して弾性を持たせる中間部４０Ｋ２によって、下端部４０Ｋ３が基板５０に固定されていても上方先端部４０Ｋ１は水平面で上下左右方向に動くことができるので、マイクロＵＳＢ用プラグ４０は基板５０との半田付け部と各嵌合部（嵌合インシュレータ４０Ｚ３）との間で可動できるようになる。
なお、ここでは中間部４０Ｋ２をＳ字状に曲折させて弾性を持たせているが、本発明はこれに限定されるものではなく、Ｓ字状の他にＬ字状、Ｕ字状、Ｗ字状に曲折させたり、さらにこれら形状を複数回繰り返した形状のものでも、弾性を持たせることができる。
【００１９】
〈シェル４０Ｓ〉
シェル４０Ｓ（図５（Ａ））は電気シールドを行なうもので金属薄板から形成され、プラグの嵌合部を形成する嵌合部シェル４０Ｓ１と、基板を覆うベースシェル４０Ｓ２とから構成されている。
【００２０】
〈嵌合部シェル４０Ｓ１〉
嵌合部シェル４０Ｓ１は、ベースシェル４０Ｓ２の開口Ｓ２Ｌ（図４（Ｃ））から露出する嵌合部Ｓ１１（図５（Ｃ））と、嵌合部Ｓ１１の両平坦部下方左右側から下方に延出する弾性接続部Ｓ１２（図５（Ｃ））とから構成される。
【００２１】
〈嵌合部Ｓ１１〉
嵌合部Ｓ１１は金属薄板の中空円筒を両側から潰して平坦にした形状をしており、この中に、５本のコンタクト４０Ｋ（図５（Ｂ）、図６（Ａ））を収容する嵌合インシュレータ４０Ｚ３（図５（Ｂ）、図６（Ａ））が収容される。嵌合部Ｓ１１の平坦部には嵌合インシュレータ４０Ｚ３の溝部に係止する係止片Ｓ１Ｋが複数箇所に形成され、嵌合部Ｓ１１の下方にはベースシェル４０Ｓ２（図５（Ｂ））の下に潜り込んで安定して直立できるようにする足片Ｓ１Ｆ（図５（Ｂ））が４箇所（両平坦部の下方にそれぞれ２箇所）に形成されている。
【００２２】
〈弾性接続部Ｓ１２〉
弾性接続部Ｓ１２（図５（Ｃ））は嵌合部Ｓ１１の両平坦部の下方の左右側のつごう４箇所から下方にＳ字状に複数回蛇行して成る金属長尺体で、それぞれの先端に上向きのＵ字状をしたクリップＣ１が形成されている。これら４箇所のクリップＣ１は、嵌合部シェル４０Ｓ１がベースシェル４０Ｓ２に組み付けられた状態で、ベースシェル４０Ｓ２の袴部Ｆ１（図５（Ａ））に食い込むことで、嵌合部シェル４０Ｓ１をベースシェル４０Ｓ２の中で可動できるようにかつ安定的に直立させると共に嵌合部シェル４０Ｓ１とベースシェル４０Ｓ２間の電気的接続がなされている。
【００２３】
〈マイクロＵＳＢ用プラグの組み立て順序〉
以上述べた各部品を用いてマイクロＵＳＢ用プラグを組み立てる順序について、図７および図８を用いて説明する。 図７および図８はマイクロＵＳＢ用プラグの組み立て工程を示す斜視図で、図７は工程の前半、図８は工程の後半を示している。
まず、図７（１）において、１枚の金属薄板から長尺体となる５本のコンタクト４０Ｋを打ち抜き、プレス加工する。
図７（２）において、５本のコンタクト４０Ｋの上下２箇所をそれぞれ固定インシュレータ４０Ｚ１と４０Ｚ５でモールド固定する。
図７（３）において、５本のコンタクト４０Ｋの固定インシュレータ４０Ｚ１と４０Ｚ５の間の固定インシュレータ４０Ｚ５の近傍の部位をＳ字状にフォーミングする。
図７（４）において、嵌合インシュレータ４０Ｚ３を別途成形する。嵌合インシュレータ４０Ｚ３には固定インシュレータ４０Ｚ１の全体を収容する固定インシュレータ収容室Ｒ１が形成されている。
図７（５）において、Ｓ字状にフォーミングされた５本のコンタクト４０Ｋを束ねて固定している固定インシュレータ４０Ｚ１を嵌合インシュレータ４０Ｚ３の固定インシュレータ収容室Ｒ１に嵌め込んで固定する。
図７（６）において、ベースインシュレータ４０Ｚ４を別途成形する。ベースインシュレータ４０Ｚ４には中央に嵌合インシュレータ収容部Ｂ４が形成されている。
図７（７）において、嵌合インシュレータ４０Ｚ３の下部に形成されている膨出部Ｂ３（図７（５））をベースインシュレータ４０Ｚ４の嵌合インシュレータ収容部Ｂ４（図７（６））に嵌合させてインシュレータ４０Ｚを完成させる。インシュレータ４０Ｚの下部から５本のコンタクト４０Ｋの先端５０Ｋ３が出ている。
図８（８）において、嵌合部シェル４０Ｓ１をプレス加工する。嵌合部シェル４０Ｓ１は嵌合部Ｓ１１と弾性接続部Ｓ１２とから構成されており、弾性接続部Ｓ１２の先端にＵ字状をしたクリップＣ１が形成されている。
図８（９）において、プレス加工された嵌合部シェル４０Ｓ１をコンタクト付きインシュレータ４０Ｚに組み立てる。
図８（１０）において、ベースシェル４０Ｓ２をプレス加工する。
図８（１１）において、プレス加工されたベースシェル４０Ｓ２をコンタクト付きインシュレータ４０Ｚの上から嵌め込み、嵌合部シェル４０Ｓ１の弾性接続部Ｓ１２の４個のクリップＣ１をベースシェル４０Ｓ２袴部に挟み込むことで、嵌合部シェル４０Ｓ１はベースシェル４０Ｓ２と電気的接続かつ機械的接続が行われ、マイクロＵＳＢ用プラグ４０が完成する。弾性接続部Ｓ１２の存在により嵌合部シェル４０Ｓ１はベースシェル４０Ｓ２の中で上下左右方向に若干可動できるようになっている。
図６において、嵌合部シェル４０Ｓ１の幅方向に移動可能となる距離をＴ１、嵌合部シェル４０Ｓ１の厚み方向に移動可能となる距離をＴ２で示している。
【００２４】
次のステップで、このマイクロＵＳＢ用プラグ４０と後述するＨＤＭＩタイプＤ用プラグ３０をケース６０（図３（Ｂ））のＨＤＭＩタイプＤ用プラグ３０の収容室６３ＲとマイクロＵＳＢ用プラグ４０の収容室６４Ｒに収容し、パターン５３、５４付き基板５０でＨＤＭＩタイプＤ用プラグ３０のコンタクトの下端３０Ｋ３とマイクロＵＳＢ用プラグ４０のコンタクトの下端部４０Ｋ３とそれぞれ半田付けされた状態でケース６０を覆い、パターン５３、５４（図３（Ｃ））のそれぞれにケーブル７０のＨＤＭＩ信号電線７３とＵＳＢ信号電線７４を半田付けし、この部分をハウジング７２（図２（Ｂ））で覆うことにより複数プラグ付き接続ユニットを使用したケーブル１０（図１）が完成する。
【００２５】
〈ＨＤＭＩタイプＤ用プラグの可動構造〉
次に、ＨＤＭＩタイプＤ用プラグもマイクロＵＳＢ用プラグ４０と同じく可動構造を次のように有していることについて、図９を用いて説明する。
図９はＨＤＭＩタイプＤ用プラグの組み立て工程を示す斜視図である。
図９（１）において、嵌合インシュレータ３０Ｚ３内には、それぞれＳ字状にフォーミングされたコンタクト３０Ｋが複数本１列横隊で並び、これと同じくＳ字状にフォーミングされたコンタクト３０Ｋ’が複数本１列横隊でコンタクト３０Ｋとを互いに背中合わせ状態で収容されている。
各コンタクト３０Ｋと３０Ｋ’の材質・機能・形状は、前述したマイクロＵＳＢ用プラグ４０のコンタクト４０Ｋと原則同じである。すなわち、上方先端部が相手方レセプタクルと接触する部位であり、中間部がＳ字状に曲折して弾性を持たせることで若干可動できるようにし、下端部３０Ｋ近傍には上向きにＵ字状に形成されたクリップＣ２を形成し、ベースインシュレータ３０Ｚ４の袴（はかま）部をクリップできるようにしている。
図９（２）において、ベースインシュレータ３０Ｚ４の上に形成された溝Ｍ１内に、嵌合部シェル３０Ｓ１の下端から水平方向に延出する帯状部Ｎ１を嵌め込んで、嵌合部シェル３０Ｓ１をベースインシュレータ３０Ｚ４の上に垂直に固定する。
溝Ｍ１と帯状部Ｎ１とは緩く嵌め込まれており、したがって嵌合部シェル３０Ｓ１はベースインシュレータ３０Ｚ４に対して水平面で上下左右方向に若干可動できるようになっている。
図９（３）において、図９（１）で組み立てられたコンタクト付き嵌合インシュレータ３０Ｚ３の上に、図９（２）で組み立てられたベースインシュレータ３０Ｚ４を嵌め込み、コンタクト３０Ｋと３０Ｋ’の各クリップＣ２でベースインシュレータ３０Ｚ４の袴（はかま）部をクリップすることで、コンタクト３０Ｋ、３０Ｋ’付き嵌合インシュレータ３０Ｚ３とベースインシュレータ３０Ｚ４は機械的に固定されたＨＤＭＩタイプＤ用プラグが出来上がる。ＨＤＭＩタイプＤ用プラグはコンタクト３０Ｋ、３０Ｋ’のＳ字状にフォーミングされた部位の存在により嵌合部シェル４０Ｓ１はベースシェル４０Ｓ２の中で上下左右方向に若干可動できるようになっている。
次のステップで、このＨＤＭＩタイプＤ用プラグ３０はマイクロＵＳＢ用プラグ４０と同じようにケース６０（図３（Ｂ））に収容され、上述したステップを経て複数プラグ付き接続ユニットを使用したケーブル１０（図１）が完成する。
【００２６】
〈ＨＤＭＩタイプＤ用プラグの構造〉
図１０（Ａ）はＨＤＭＩタイプＤ用プラグの正面図、図１０（Ｂ）はＨＤＭＩタイプＤ用プラグの側面図である。嵌合インシュレータ３０Ｚ３内に、コンタクト３０Ｋとコンタクト３０Ｋ’が互いに背中合わせ状態で収容されている。コンタクト３０Ｋ、３０Ｋ’の各下端部３０Ｋ３近傍には上向きにＵ字状に形成されたクリップＣ２を形成し、これがベースインシュレータ３０Ｚ４の袴部をクリップしている（図１０（Ｂ））。
また、コンタクト３０Ｋ、３０Ｋ’の各下端部３０Ｋ３は、下方に向けて突出しており、ここが図２（Ａ）のパターン５３と半田付けされることにより、コンタクト３０Ｋ、３０Ｋ’と各パターン５３とが電気的に接続されるようになる。
【００２７】
〈まとめ〉
（１）以上のように本発明によれば、プラグが各嵌合部と半田付け部との間で可動構造を備えているので、相手方レセプタクルに若干位置ずれがあってもそのプラグを相手方レセプタクルにスムーズに嵌合できるようになる。
（２）また、複数本のケーブルを半田付け結線できるパターンを基板に設けたので、ケーブルを嵌合方向と直角方向に引き回すことをしなくてよくなり、小型化に寄与できる。
（３）したがって、マイクロＵＳＢコネクタおよびＨＤＭＩタイプＤコネクタに嵌合して各信号を伝送することができるようになり、スマートフォン等の携帯機器市場におけるニーズに応えることができるようになる。
【符号の説明】
【００２８】
１０：本発明に係る複数プラグ付き接続ユニットを使用したケーブル
２０：本発明に係る複数プラグ付き接続ユニット
３０：ＨＤＭＩタイプＤ用プラグ
３０Ｋ、４０Ｋ：コンタクト
３０Ｚ、４０Ｚ：インシュレータ
３０Ｚ３、４０Ｚ３：嵌合インシュレータ
３０Ｚ４、４０Ｚ４：ベースインシュレータ
４０：マイクロＵＳＢ用プラグ
４０Ｓ１：嵌合部シェル
４０Ｓ２：ベースシェル
４０Ｋ３：下端部
４０Ｚ１、４０Ｚ５：固定インシュレータ
４０Ｋ１：上方先端部
４０Ｋ２：中間部
５０：基板
５３、５４：パターン
６０：ケース
６３、６４：穴
６３Ｒ、６４Ｒ：収容室
７０：ケーブル
７１：各種電線
７２：ハウジング
７３：ＨＤＭＩ信号電線
７４：ＵＳＢ信号電線
Ｓ２Ｌ：開口
Ｃ１：下方後端部
Ｎ１：帯状部
【図１】
2013048073.tif 000003
【図２】
2013048073.tif 000004
【図３】
2013048073.tif 000005
【図４】
2013048073.tif 000006
【図５】
2013048073.tif 000007
【図６】
2013048073.tif 000008
【図７】
2013048073.tif 000009
【図８】
2013048073.tif 000010
【図９】
2013048073.tif 000011
【図１０】
2013048073.tif 000012
【図１１】
2013048073.tif 000013